(57)【特許請求の範囲】
【請求項１】
感光体材料用リールから焼付処理部に供給された感光体材料上に画像を焼付処理する写真処理装置において、
前記焼付処理部の搬送下流側に設けられた焼付処理された感光体材料をカットするカッタ部材と、
縁あり仕様のプリント時には、感光体材料を所定長さにカットするように前記カッタ部材および感光体材料搬送部材を駆動制御し、また、縁なし仕様のプリント時には、感光体材料を所定長さにカットし、さらにプリント端の不要部分を切り落すように前記カッタ部材および感光体材料搬送部材を駆動制御するカッタ駆動制御手段と、
前記カッタ部材の下方に配設され前記カッタ部材で切り落されたプリント端の不要部分を収納可能な切屑収納部材と、
前記カッタ部材の下流側に設けられた平面を有する第１のガイド部材と、
前記第１のガイド部材の下方側に配置され、鉛直な平板部を有するガイドプレートと、前記ガイドプレートに連設され、前記平板部に対して直角に折り曲げられた上側の端縁部に形成された、感光体材料の受け入れ側に開いた受入口を構成する上流側部位及びその下流側で前記第１のガイドと平行な下流側部位からなる搬送ガイド部と、前記ガイドプレートを前記平板部で軸支する回動中心としてのピン部材とを有することで、前記第１のガイド部材に対して感光体材料の受入口を開く搬送ガイド位置と、前記上流側部位を前記第１のガイド部材の平面と平行にすることで前記受入口を閉じると共に前記切り落とされたプリント端の不要部分を前記切屑収納部材内に案内する切屑ガイド位置との間で前記ピン部材の周りに回動自在にされた第２のガイド部材と、
前記プリント端の不要部分の切り落し時には、前記第２のガイド部材を切屑ガイド位置に位置させるように制御し、前記感光体材料を所定長さにカットするときには、前記第２のガイド部材を前記搬送ガイド位置に位置させるように制御するガイド部材駆動制御手段とを有することを特徴とする写真処理装置。
【発明の詳細な説明】
【０００１】
【発明の属する技術分野】
本発明は、感光体材料上に画像を投影焼付や密着焼付して現像する写真的焼付現像処理装置などの写真処理装置に関する。
【０００２】
【従来の技術】
従来、絵柄と文字との合成画像を得る密着焼付の場合であって、図１０（ａ）に示すような周囲に白縁を有した縁あり仕様（ウィズボーダ）のプリントの場合には、写真処理装置は、長尺の感光体材料としての印画紙をロール状に巻回した印画紙用リールが内蔵された印画紙用マガジンを搭載しており、この印画紙用マガジン内の印画紙用リールから供給される印画紙Ｐを焼付処理部に搬送する。この焼付処理部では、印画紙を移動させつつ１〜数ライン毎に出力してデジタル画像を印画紙上に密着焼付処理する。このようにして、印画紙の各領域に焼付けた絵柄や文字に対応してカッタでカットし、このカットした印画紙を現像処理部に向けて搬送し、この現像処理部で現像処理を行うようにしていた。
【０００３】
また、絵柄と文字との合成画像を得る焼付の場合であって、図１０（ｂ）に示すような縁なし仕様（ボーダレス）のプリントの場合には、写真処理装置は、印画紙用マガジン内の印画紙用リールから供給される印画紙Ｐを所定長さにカッタでカットし、そのカットした印画紙Ｐを焼付処理部に搬送する。この焼付処理部では、印画紙Ｐの文字領域を遮蔽マスクで覆い、その絵柄領域に絵柄を焼付けた後に、その絵柄領域を遮蔽マスクで覆って文字のリスネガを印画紙の文字領域に当てて文字を焼き付けるようにしていた。このようにして、先にカットして印画紙の各領域に絵柄や文字を焼付けた印画紙を現像処理部に向けて搬送し、現像処理部で現像処理を行うようにしていた。
【０００４】
また、この他に、図１０（ｂ）に示すような縁なし（ボーダレス）仕様のプリントを得る場合として、図１０（ａ）に示すような周囲に白縁を有した縁あり仕様（ウィズボーダ）のプリントを上記したようにして得た後に、そのプリントから４角の白縁をカッタでカットして切り取ることも考えられる。
【０００５】
【発明が解決しようとする課題】
ところが、上記従来の構成のように、図１０（ａ）に示すような周囲に白縁を有した縁あり仕様（ウィズボーダ）のプリントの場合には、ロール状の印画紙をローラで搬送しつつ、１〜数ライン毎に出力するデジタル画像を印画紙上に密着焼付し、その絵柄や文字のデジタル画像を焼付けたプリントを所定長さのカッタ位置ａでカットするだけでよいが、上記従来の構成のような投影焼付ではなく、密着焼付で、図１０（ｂ）に示すような縁なし（ボーダレス）仕様のプリントの場合に、上記従来の構成のように焼付処理よりも先に所定長さに印画紙をカットすると、カットされた印画紙を順次挟み込んで密着焼付部に搬送したり、真空吸着装置などで、カットされた印画紙を順次吸着して密着焼付部に搬送したりしなければならず、密着焼付部に対する搬送部が複雑になると共に、印画紙を移動させつつ１〜数ライン毎のデジタル画像を印画紙上に密着焼付するために印画紙の搬送精度を精密にしなければならず搬送制御が困難であるという問題があった。
【０００６】
一方、ロール状の印画紙を用いた密着焼付で、図１０（ｂ）に示すような縁なし（ボーダレス）仕様のプリントの場合に、焼付処理部の下流側で所定長さに印画紙をカットすると、上記した搬送精度の精密性や複雑な搬送構成は解決されるものの、隣接するプリント端部（露光部分の端部）が互いに重なり合ってしまい、単に境界中央のカッタ位置ａ３でカットしただけでは上記重なり合う部分（余分に露光がかかった部分）がプリントの両端部に残ってしまい見苦しいという問題を有していた。したがって、印画紙をロール状に巻回した印画紙用リールから印画紙を引き出して順次密着焼付けをしたプリントを所定長さにカットする仕様は、縁あり仕様（ウィズボーダ）のプリントしか対応することができず、縁なし（ボーダレス）仕様のプリントでは対応することができなかった。
【０００７】
また、縁あり仕様（ウィズボーダ）のプリントから４角の白縁を切り取って、縁なし（ボーダレス）仕様のプリントとする場合には、カッタ構造やそのカッタ制御が複雑になると共にプリント自体のサイズもより小さくなるという問題を有していた。
【０００８】
本発明は、上記従来の問題を解決するもので、印画紙がロール仕様で密着焼付処理した後にカットする縁なし（ボーダレス）仕様のプリントにも対応することができる写真処理装置を提供することを目的とする。
【０００９】
【課題を解決するための手段】
本発明の本発明の写真処理装置は、感光体材料用リールから焼付処理部に供給された感光体材料上に画像を焼付処理する写真処理装置において、前記焼付処理部の搬送下流側に設けられた焼付処理された感光体材料をカットするカッタ部材と、縁あり仕様のプリント時には、感光体材料を所定長さにカットするように前記カッタ部材および感光体材料搬送部材を駆動制御し、また、縁なし仕様のプリント時には、感光体材料を所定長さにカットし、さらにプリント端の不要部分を切り落すように前記カッタ部材および感光体材料搬送部材を駆動制御するカッタ駆動制御手段と、前記カッタ部材の下方に配設され前記カッタ部材で切り落されたプリント端の不要部分を収納可能な切屑収納部材と、前記カッタ部材の下流側に設けられた平面を有する第１のガイド部材と、前記第１のガイド部材の下方側に配置され、鉛直な平板部を有するガイドプレートと、前記ガイドプレートに連設され、前記平板部に対して直角に折り曲げられた上側の端縁部に形成された、感光体材料の受け入れ側に開いた受入口を構成する上流側部位及びその下流側で前記第１のガイドと平行な下流側部位からなる搬送ガイド部と、前記ガイドプレートを前記平板部で軸支する回動中心としてのピン部材とを有することで、前記第１のガイド部材に対して感光体材料の受入口を開く搬送ガイド位置と、前記上流側部位を前記第１のガイド部材の平面と平行にすることで前記受入口を閉じると共に前記切り落とされたプリント端の不要部分を前記切屑収納部材内に案内する切屑ガイド位置との間で前記ピン部材の周りに回動自在にされた第２のガイド部材と、前記プリント端の不要部分の切り落し時には、前記第２のガイド部材を切屑ガイド位置に位置させるように制御し、前記感光体材料を所定長さにカットするときには、前記第２のガイド部材を前記搬送ガイド位置に位置させるように制御するガイド部材駆動制御手段とを有することを特徴とするものである。
【００１０】
この構成により、縁あり仕様のプリントの場合には、焼付処理された感光体材料をカッタ部材で所定長さにカットし、また、縁なし仕様のプリントの場合には、感光体材料を所定長さにカットし、さらに、余分に露光がかかった隣接するプリントの端部を切り落すように制御するので、隣接するプリント端部（露光部分の端部）が互いに重なり合って残るようなことは無くなり、見苦しくなく、感光体材料がロール状に巻回された感光体材料用リールを用いて焼き付け処理を順次した後にカットする縁なし（ボーダレス）仕様のプリントにも対応することが可能となる。
【００１１】
また、感光体材料を所定長さにカットするときには、第２のガイド部材を搬送ガイド位置に位置させ、また、プリント端の不要部分を切り落すときには、第２のガイド部材を切屑ガイド位置に位置させるようにするので、搬送ガイドと案内ガイドを共用できて部品点数が減ると共に、カッタ部材で切り落されたプリント端の不要部分がカット時に飛び散ったとしても、より確実に切屑収納部材内に収納されることになり、カット時に切屑が飛び散って搬送系に入り込んで詰まるというようなことも解消される。
【００１２】
【発明の実施の形態】
以下、本発明に係る写真処理装置の実施形態について図面を参照しながら説明するが、本発明は以下に示す実施形態に限定されるものではない。
【００１３】
図１は本発明の一実施形態の焼付現像処理装置の外観構成を示す側面図であり、図１の上下方向と装置の上下方向とは同一であるが、図１の左右方向を装置の前後方向、図１の前後方向を装置の左右方向として説明する。
【００１４】
図１において、この焼付現像処理装置は、手前側に配設された操作盤１と、この操作盤１の後方に内蔵された第１の焼付処理部２と、この第１の焼付処理部２の上方に配設され、印画紙用マガジン３から供給された感光体材料としての印画紙に焼付処理する第２の焼付処理部４と、第１の焼付処理部２の後方側に配設された現像処理部５と、この現像処理部５の上方に配設された印画紙排出部６とを有している。この操作盤面１には、スタートスイッチ、第１の焼付処理部２または第２の焼付処理部４を選択する選択キー、焼付時の拡大倍率を指定する倍率設定キーなどの各種キーが配設されており、操作者はこの操作盤１の手前側に位置して操作盤１の各種キーを操作することで焼付処理さらに現像処理をさせるようになっている。
【００１５】
図２は図１の第１の焼付処理部２の概略構成図であり、図１の前後、左右および上下方向と図２の各方向とをそれぞれ一致させている。
【００１６】
図２において、第１の焼付処理部２は、フィルム画像を印画紙上に焼付処理するものであり、手前側上部に配設されたフィルム画像露光部２１と、中央部に配設され、フィルム画像露光部２１でフィルム画像が露光されて焼付処理する焼付処理部２２と、互いに異なるサイズの印画紙が巻装された２個の印画紙用マガジン２３ａ，２３ｂを載置するマガジン載置部２４と、２個の印画紙用マガジン２３ａ，２３ｂの何れかから選択的に引き出された印画紙を焼付処理部２２に搬送する第１の搬送部２５と、この焼付処理部２２と第１の搬送部２５との間に配設され、長尺状の印画紙を予め設定された所定長さにカッタ２７およびカッタ駆動部２８で切断するカッタ部２６と、焼付処理部２２で焼付処理された印画紙を現像処理部５へ搬送する第２の搬送部２９とを有している。
【００１７】
このフィルム画像露光部２１は、現像済みのネガフィルムＦの各コマを焼付位置に移送するフィルム移送部２１１と、このフィルム移送部２１１にセットされるネガフィルムＦの上方に配設されたハロゲンランプなどの光源２１２と、このフィルム移送部２１１にセットされるネガフィルムＦと光源２１２との間に配設されたシャッタ２１３と、焼付処理部２２上に搬送される印画紙面にフィルム画像を結像させる光学レンズ２１４とを備えており、光源２１２からの光が中央部に配設された焼付処理部２２上に照射されるように斜めに傾いた状態で配設されている。
【００１８】
また、このフィルム移送部２１１は、ネガフィルムＦを巻き取る巻取ローラ２１５、この巻取ローラ２１５を駆動するパルスモータなどから構成されたローラ駆動部２１６を備え、ネガフィルムＦをコマ寸法分づつ間欠的に焼付位置に移送するようになっている。また、シャッタ２１３は、パルスモータなどから構成されたシャッタ駆動部２１７により開閉されるようになっている。さらに、光学レンズ２１４は、パルスモータなどから構成されたレンズ駆動部２１８により印画紙面との距離が調節され、フィルム画像が印画紙面に正確に結像されるように移動自在に構成されている。
【００１９】
また、焼付処理部２２は、パルスモータなどから構成されたローラ駆動部２２０により回転駆動される駆動ローラ２２１によって、駆動ローラ２２１、従動ローラ２２２およびテンションローラ２２３に架け渡された搬送ベルト２２４を印画紙の搬送方向Ｈに移動させるように回転駆動する構成である。この光源２１２の光軸と直交するように、搬送ベルト２２４の印画紙搬送面が配設されると共に搬送ベルト２２４上方に遮蔽マスク２２５が配設され、この遮蔽マスク２２５で印画紙の所定領域を遮蔽するようになっている。
【００２０】
さらに、マガジン載置部２４は、印画紙用マガジン２３ａを載置する箇所の下方位置に給紙ローラ２４１を備えると共に、印画紙用マガジン２３ｂを載置する箇所の下方位置に給紙ローラ２４２を備えており、これらの給紙ローラ２４１，２４２をパルスモータなどから構成されたローラ駆動部２４３により選択的に回転駆動させて各印画紙用マガジン２３ａ，２３ｂの何れかからサイズの異なる印画紙を選択的に引き出すことができるようになっている。
【００２１】
さらに、第２の搬送部２９は、各ブロック別に分けられてローラおよびベルトを駆動するローラ駆動部２９０〜２９３によって、焼付処理部２２で焼付処理された印画紙を現像処理部５に向けて順次搬送するようになっている。
【００２２】
図３は図１の第２の焼付処理部４の概略構成図であり、図１の前後、左右および上下方向と図３の各方向とを一致させている。
【００２３】
図３において、第２の焼付処理部４は、デジタル画像を印画紙上に密着焼付処理するもので、手前側に配設され画像を転写する焼付処理部としての画像転写部４１と、この画像転写部４１の後方側に配設され、印画紙用マガジン３を搭載するマガジン載置部４２と、この印画紙用マガジン３から引き出された印画紙Ｐを画像転写部４１を経由して下流側に搬送する第１の搬送部４３と、画像転写部４１で焼付処理され、第１の搬送部４３から搬送されてきた印画紙Ｐを現像処理部５に向けて搬送する第２の搬送部４４とを有している。
【００２４】
この画像転写部４１は、露光部表面である表示面４１４が後側を向くように前後方向に配設され、画像を表示するＦＯＣＲＴ（Fiber Optic Cathode-Ray-Tube）からなる画像表示部４１１と、この画像表示部４１１を駆動する駆動回路部４１２と、この駆動回路部４１２に画像データを出力する画像データ出力部４１３とを備えている。この画像データ出力部４１３は、フィルム画像などの絵柄をＣＣＤなどの撮像素子で読み取った画像データに所定の画像処理を施して１〜数ライン毎に出力すると共に、パーソナルコンピュータなどの外部装置から入力された文字の画像データに所定の画像処理を施して１〜数ライン毎に出力するようになっている。
【００２５】
また、画像表示部４１１の表示面４１４に対向する位置には、ＤＣモータやカム機構などからなるパッド／ローラ駆動部４１５により画像表示部４１１に対する接離方向に移動するプレッシャーパッド４１６が配設されており、画像表示部４１１による印画紙への焼付時には表示面４１４側に移動して印画紙が表示面４１４から浮き上がらないようにする構成である。
【００２６】
また、マガジン載置部４２は、印画紙用マガジン３がその印画紙の引出口ＥＸを手前側に向けて載置されるようになっており、マガジン駆動モータ３１により駆動ローラ３２および印画紙リール３３を駆動させて印画紙用マガジン３の内部からその引出口ＥＸに印画紙Ｐを引き出し易く構成している。
【００２７】
次に、第１の搬送部４３は、印画紙用マガジン３の引出口ＥＸから引き出された印画紙Ｐを水平方向に搬送する横搬送部４３１と、この横搬送部４３１の印画紙を９０゜方向を変更して下方に搬送する縦搬送部４３２とを有しており、これらの横搬送部４３１と縦搬送部４３２の間には、パルスモータなどからなるローラ駆動部４３３により回転駆動される搬送ローラ４３４が配設されている。この搬送ローラ４３４により印画紙用マガジン３から印画紙Ｐを引き出すと共に、この引き出した印画紙Ｐを横搬送部４３１から縦搬送部４３２に送り込むようになっている。
【００２８】
この縦搬送部４３２には、ループ形成部４３５、パッド／ローラ駆動機構および幅方向規制部材４４１が配設されている。
【００２９】
このループ形成部４３５は、搬送ローラ４３４により搬送されてきた印画紙Ｐを安定したピッチで下流側に搬送することができるようにループ状に貯め込む機能を有しており、下端側を回動支点として実線で示す第１の位置と鎖線で示す第２の位置との間を回動可能に配設されたループガイド４３６と、このループガイド４３６を第１の位置と第２の位置とに切り換えるＤＣモータなどからなるループガイド駆動部４３７とを備えている。
【００３０】
また、パッド／ローラ駆動機構は、パッド／ローラ駆動部４１５により制御され、１つのＤＣモータでプレッシャーパッド４１６を画像表示部４１１の表示面４１４に対する接離方向に移動させ、また、従動ローラ４３８を駆動ローラ４３９に対する接離方向に移動させるように構成されている。この駆動ローラ４３９は、パルスモータなどからなるローラ駆動部４４０により回転駆動されるようになっている。
【００３１】
さらに、印画紙Ｐの蛇行防止用の幅方向規制部材４４１は、画像表示部４１１の表示面４１４に対して上下近傍位置にそれぞれ、印画紙Ｐの幅方向両側端部が幅方向に規制された状態でそれぞれ通過するようになっている。
【００３２】
また、第２の搬送部４４は、印画紙を一時的に収納可能なストック部４６と、このストック部４６の下流側に配設されて印画紙をカットするカッタ部４７と、このカッタ部４７でカットされた印画紙Ｐを現像処理部５側に搬送する搬送部４９とを備えている。
【００３３】
このストック部４６は、焼付処理部の画像転写部４１を通過させて所定長さ分だけ下流側に搬送した、焼付処理を行う前の印画紙Ｐを一時的に収納する機能を有しており、画像表示部４１１の下方に配設された印画紙収納ボックス４６１と、上流側から搬送されてきた印画紙Ｐを印画紙収納ボックス４６１内に案内可能なガイドプレート４６２と、パルスモータなどからなるローラ駆動部４６３により回転駆動する駆動ローラ４６４と、ＤＣモータやカム機構などからなり、従動ローラ４６５を駆動ローラ４６４に、搬送経路に対して傾く方向から接離するように移動させると共に、ガイドプレート４６２を実線の位置（印画紙収納時）または鎖線の位置（印画紙搬送時）に駆動するガイド／ローラ駆動部４６６とを有している。
【００３４】
また、カッタ部４７は、感光体材料としての印画紙をカットするカッタ部材としての第１のカッタ４７１および第２のカッタ４７２と、この第１のカッタ４７１を第２のカッタ４７２に対する接離方向に移動させるカッタ駆動部４７３と、縁あり仕様のプリント時には、印画紙を所定長さにカットするようにカッタ駆動部４７３および感光体材料搬送部材としてのローラ駆動部４６３を駆動制御し、また、縁なし仕様のプリント時には、感光体材料を所定長さにカットすると共に、プリント端の不要部分を切り落すようにカッタ駆動部４７３および感光体材料搬送部材としてのローラ駆動部４６３を駆動制御するカッタ駆動制御部４７４とを有している。これらのカッタ駆動部４７３およびカッタ駆動制御部４７４によりカッタ駆動制御手段４７５が構成されている。
【００３５】
このカッタ駆動制御部４７４は、操作盤１から入力される操作情報としての縁あり仕様と縁なし仕様や、ローラ駆動部４６３からの印画紙搬送距離に応じてカッタ駆動部４７３を駆動制御するようになっており、縁なし仕様のプリント時には、印画紙を所定長さにカットする他にプリント端の不要部分（本実施形態では３ｍｍ程度）を切屑として切り落すようになっている。つまり、図１０（ａ）に示すような周囲に白縁を有した縁あり仕様（ウィズボーダ）のプリントの所定のカッタ位置ａでカットする場合は、１回のカットでよく切屑を発生させる必要はないが、図１０（ｂ）に示すような縁なし（ボーダレス）仕様のプリントをカッタ位置ａ１，ａ２でカットする場合には、２回カットする必要があり、不要部分として切屑Ａが発生する。この切屑Ａは、隣接するプリント端部（露光部分の端部）が互いに重なり合う部分であり、この重なり合う部分をカッタ位置ａ１，ａ２でそれぞれカットすることで、余分に露光がかかった部分を取り除いて次のプリントに影響が無いようにしている。このようにして、隣接するプリント端部（露光部分の端部）が互いに重なり合って残り見苦しいというようなことは無くなるので、印画紙がロール状に巻回された印画紙用リール３３を用いて縁なし仕様のプリントに対応することができるようになる。
【００３６】
また、カッタ部４７は、第１のカッタ４７１および第２のカッタ４７２の下方に配設され、これらの第１のカッタ４７１および第２のカッタ４７２で印画紙Ｐをカットするときにカット片（切屑）が発生する場合のその切屑を収納可能な切屑収納部材としての切屑収納ボックス４７６と、第１のカッタ４７１および第２のカッタ４７２の下流側で、切屑を切屑収納ボックス４７６内に案内可能なガイド部材としてのガイドプレート４７７と、図４に示す印画紙の受入口４７７ａを開く搬送ガイド位置（実線位置）と、切屑を切屑収納ボックス４７６内に案内する切屑ガイド位置（鎖線位置）との間でガイドプレート４７７を移動させるガイド駆動部４７８と、プリント搬送時にはガイドプレート４７７を搬送ガイド位置（実線位置）に移動させ、また、プリント端の不要部分の切り落し時（切屑発生時）には、切屑収納ボックス４７６内に案内する切屑ガイド位置（鎖線位置）に移動させるようにガイド駆動部４７８を駆動制御するガイド部材駆動制御部４７９とを有している。これらのガイド駆動部４７８およびガイド部材駆動制御部４７９によってガイド部材駆動制御手段４８０が構成されている。また、上記カッタ部４７は、カットされた印画紙Ｐを次の搬送部４９に搬送するための駆動ローラ４８１および従動ローラ４８２、これらを回転駆動するローラ駆動部４８３とを有している。
【００３７】
このガイドプレート４７７は、図４に示すように、直角に折り曲げられた端縁部が印画紙の受け入れ側に開いた受入口４７７ａの下側の搬送ガイド部４７７ｂを構成しており、この端縁部に連設された平板部４７７ｃの左側には回動中心であるピン部材４７７ｄで軸支され、また、平板部４７７ｃの右側には長穴である係合孔４７７ｅが設けられている。
【００３８】
また、このガイドプレート４７７を揺動させるアーム状の操作連結部材４８４は、この係合孔４７７ｅに係合するピン部材４８４ａが一方側の端部に立設されており、他方側に長穴である係合孔４８４ｂがその長手方向に設けられ、さらに、これらのピン部材４８４ａと係合孔４８４ｂの間に回動中心であるピン部材４８４ｃで軸支されている。また、この操作連結部材４８４を揺動させる円盤部材４８５は、操作連結部材４８４の係合孔４８４ｂに係合するピン部材４８５ａが外周縁部に立設され、その中心にＤＣモータの回転駆動軸４８６が連結されて回転自在に構成されている。これらの操作連結部材４８４、円盤部材４８５およびＤＣモータによりガイド駆動部４７８が構成されており、印画紙を受入口４７７ａから受け入れて搬送する搬送ガイド位置と、切り落されたプリント端の不要部分の切屑を切屑収納ボックス４７６内への切屑ガイド位置との間を移動させるようになっている。
【００３９】
さらに、この円盤部材４８５の外周に設けられた切欠部（図示せず）を検出する反射型光センサなどの検知部材４８７が２個所に設けられており、この検知部材４８７で円盤部材４８５の回転位置、つまりガイドプレート４７７の回動位置である上記搬送ガイド位置と切屑ガイド位置とを検出可能に構成している。これらの検知部材４８７の出力端が接続されるガイド部材駆動制御部４７９は、プリント端の不要部分の切り落し時に、ＤＣモータの回転駆動軸４８６と共に円盤部材４８５およびピン部材４８５ａを回転させ、このピン部材４８５ａに係合した係合孔４８４ｂを介して、操作連結部材４８４をピン部材４８４ｃを回動中心として２点鎖線で示す方向Ｂに回動させて、ガイドプレート４７７の搬送ガイド部４７７ｂも２点鎖線で示す切屑収納ボックス４７６内への切屑ガイド位置側に位置させるように制御するようになっている。このとき、検知部材４８７は円盤部材４８５の回転位置を監視しており、円盤部材４８５の外周の切欠部（図示せず）を検出した時点でＤＣモータの回転駆動軸４８６の回転を停止させて２点鎖線で示す搬送ガイド部４７７ｂの切屑ガイド位置でガイドプレート４７７を停止させるようにしている。また同様に、検知部材４８７は円盤部材４８５の回転位置を監視しており、プリント搬送時には、円盤部材４８５の外周の切欠部（図示せず）を検出した時点でＤＣモータの回転駆動軸４８６の回転を停止させて実線で示す搬送ガイド部４７７ｂの搬送ガイド位置でガイドプレート４７７を停止させるようにしている。
【００４０】
このとき、ガイドプレート４７７の搬送ガイド部４７７ｂは、搬送ガイド位置と切屑ガイド位置との間を回動して移動するが、この搬送ガイド部４７７ｂの移動は印画紙の搬送経路側にはみ出すことはなく、その搬送ガイド部４７７ｂの移動に際して印画紙の露光側である乳剤面側に触れないように移動するようになっている。
【００４１】
また、切屑収納ボックス４７６に切屑量を検出するセンサを設け、切屑収納ボックス４７６内に切屑が所定量以上貯まれば、そのセンサがそれを検知してブザーやランプなどで警告を発するように構成することもできる。
【００４２】
さらに、搬送部４９は、カッタ部４７でカットされた印画紙Ｐを受け取ってローラ駆動部４９１およびローラ、ベルトで横方向に搬送する横搬送ユニット４９２と、この横搬送ユニット４９２から排出された印画紙Ｐを受け取り、ローラ駆動部４９３およびローラ、ベルトで縦方向に沿って現像処理部５側に搬送する縦搬送ユニット４９４とを備えている。
【００４３】
図８は図１の現像処理部５の一部破断状態を示す概略構成図である。
【００４４】
図８において、現像処理部５は、第１の焼付処理部２と第２の焼付処理部４とで焼付処理された印画紙Ｐを下流側の現像処理開始位置ＳＰに給送する給送ユニット５１と、現像処理開始位置ＳＰに給送された印画紙Ｐを現像処理する処理タンク５２と、現像処理された印画紙Ｐを乾燥処理する乾燥処理室５３とを備えている。
【００４５】
この給送ユニット５１は、第１の焼付処理部２の排出側から搬送されてきた印画紙Ｐを受け入れる第１の搬入口５１１と、この第１の搬入口５１１に搬入されてきた印画紙Ｐを処理タンク５２の入口近傍の現像処理開始位置ＳＰに、ローラ駆動部５１２で回転駆動されるローラ５１３で給送する第１の給送部５１４と、第２の焼付処理部４の縦搬送ユニット４９４から搬送されてきた印画紙Ｐを受け入れる第２の搬入口５１３と、この第２の搬入口５１３に搬入されてきた印画紙Ｐを現像処理開始位置ＳＰに、ローラ駆動部５１２で回転駆動されるローラ５１５で給送する第２の給送部５１６とを備えている。また、ガイドプレート５１７，５１８はそれぞれ印画紙Ｐを現像処理開始位置ＳＰに案内するようにそれぞれ配設されている。
【００４６】
また、処理タンク５２の搬入口は、現像処理開始位置ＳＰの直下に位置し、現像液が充填される現像処理タンク５２１と、漂白定着液の充填される漂白定着処理タンク５２２と、安定液の充填される第１の安定処理タンク５２３と、安定液の充填される第２の安定処理タンク５２４と、安定液の充填される第３の安定処理タンク５２５と、安定液の充填される第４の安定処理タンク５２６とを手前側から後側にかけて順に備えており、各処理タンク５２１〜５２６内にはそれぞれ、駆動モータなどから構成されたローラ駆動部５２７により回転駆動される搬送ローラユニット５２８がそれぞれ配設されており、印画紙Ｐを各処理タンク５２１〜５２６内に順に搬入搬出するようになっている。
【００４７】
さらに、乾燥処理室５３は、図略のヒータやファンなどから構成された昇温部５３１を縦方向に有しており、処理タンク５２で現像処理された印画紙Ｐを受け入れて乾燥すると共に上方向に搬送した後、その乾燥した印画紙Ｐを印画紙排出部６のトレイ６１に排出するようになっている。
【００４８】
次に、図示しないが、以上の各部材を制御する制御部は、所定の演算処理を行う中央演算処理装置（以下ＣＰＵという）、所定の制御プログラムが記憶されているＲＯＭ、処理データを一時的に記憶するＲＡＭなどから構成されており、上記所定の制御プログラムに従って焼付現像処理装置の全体の動作を制御するようになっている。
【００４９】
つまり、このＣＰＵは、スタートスイッチ、各種選択キー、倍率設定キー、焼付枚数設定キー、各種センサＳ１〜Ｓ３から信号が入力されることにより、第１の焼付処理部２の各ローラ駆動部２１６，２２０，２４３，２９０〜２９４、シャッタ駆動部２１７、レンズ駆動部２１８およびカッタ駆動部２８、さらに、第２の焼付処理部４の画像データ出力部４１３、パッド／ローラ駆動部４１５、各ローラ駆動部４３３，４４０，４６３，４８３，４９１，４９３、ループガイド駆動部４３７、カッタ駆動部４７３およびガイド駆動部４７８、さらには、現像処理部５のローラ駆動部５１２，５２７などをそれぞれ駆動制御するようになっている。特に、カッタ駆動部４７３は上記したカッタ駆動制御部４７４で駆動制御され、また、ガイド駆動部４７８は上記したガイド部材駆動制御部４７９で駆動制御されている。
【００５０】
上記構成により、以下、その動作を説明する。
【００５１】
次に、選択キーにより第２の焼付処理部４が選択された場合には、マガジン３内の印画紙用リール３３から引き出された印画紙Ｐの第１の搬送路４３へのローディングが行われる。
【００５２】
この第２の焼付処理部４が選択される場合とは、絵柄画像と文字画像との合成画像を必要とする場合である。この場合、前段階として、予めパーソナルコンピュータなどの外部装置によりフィルムなどの絵柄画像が撮像素子で読み取られ、また、文字データがキーボードなどから入力されて絵柄画像と合成され、その画像データに所定の画像処理が施される。
【００５３】
上記前段階の作業が終了し、各種条件が設定されてスタートスイッチがオンされると、最初に印画紙の先端カット処理が指定されたか否かが判断される（ステップＳ１）。この先端カット処理とは、マガジン３内の印画紙先端が長手方向に対して直角にカットされていない場合などに先端部を一定長さ（例えば１００ｍｍ程度）だけ長手方向に対して直角にカットする処理をいう。
【００５４】
この先端カット処理が指定されていないとき（ステップＳ１でＮＯ：印画紙先端が長手方向に対して直角にカットされている場合）、マガジン３から引き出された印画紙の第１の搬送部４３へのローディングが行われる（ステップＳ２）。
【００５５】
このとき、図３に示すように、従動ローラ４３８が駆動ローラ４３９から離反し、ループ形成部４３５のループガイド４３６は第１の位置（実線位置）に切り換えられた状態となっている。この状態で、搬送ローラ４３４が回転して印画紙Ｐの先端が印画紙センサＳ２に達するまでマガジン３から印画紙Ｐが引き出される。
【００５６】
また、プレッシャーパッド４１６は、画像表示部４１１の表示面４１４から離反した位置に移動しており、ストック部４６のガイドプレート４６２と従動ローラ４６５とが上流側から搬送されてきた印画紙Ｐを印画紙収納ボックス４６１内に案内可能な位置に移動している。
【００５７】
このようにして、印画紙Ｐの先端が印画紙センサＳ２に達すると、ループ形成部４３５で印画紙Ｐのループの形成が開始され、ループ形成部４３５内で印画紙Ｐが貯溜される（ステップＳ３）。
【００５８】
すなわち、印画紙Ｐの先端が印画紙センサＳ２に達すると、従動ローラ４３８が駆動ローラ４３９側に移動して印画紙Ｐが駆動ローラ４３８と従動ローラ４３９とにより挟持されてその位置で固定されると共に、ループガイド４３６が第２の位置（鎖線位置）に移動される。この状態で、搬送ローラ４３４によりマガジン３から印画紙Ｐが引き続いて引き出される。この結果、ループ形成部４３５で印画紙Ｐのループが形成される。この動作はループセンサＳ１が印画紙ループの頂部を検出するまで継続される。
【００５９】
次に、ループ形成部４３５から焼付処理に必要な長さ分の印画紙Ｐが送り出される（ステップＳ４）。つまり、駆動ローラ４３９が回転駆動することにより、画像表示部４１１の表示面４１４のセンター位置から印画紙Ｐの先端までの長さが焼付処理に必要な長さ分となるようにループ形成部４３５から印画紙Ｐが画像表示部４１１の表示面４１４を素通りして送り出される。この送り出された印画紙Ｐは、ガイドプレート４６２に沿って印画紙収納ボックス４６１内に案内され、印画紙収納ボックス４６１内にループ形状となって収納されることになる。
【００６０】
さらに、印画紙Ｐに対する焼付処理が行われる（ステップＳ５）。つまり、プレッシャーパッド４１６が画像表示部４１１の表示面４１４に圧接されると共に、駆動ローラ４３９が逆方向に間欠的に回転して印画紙収納ボックス４６１内の印画紙Ｐが画像表示部４１１の表示面４１４に密着した状態で間欠的に逆送される。このとき、画像表示部４１１が駆動され、印画紙Ｐの送り動作と同期して画像が１〜数ラインづつ表示面４１４に表示されることにより印画紙Ｐに対する焼付処理が行われる。このとき、印画紙Ｐが逆送されることによりループ形成部４３５の近傍の印画紙Ｐはループ形成部４３５内に戻されることになる。
【００６１】
さらに、焼付処理が終了すると、プレッシャーパッド４１６は画像表示部４１１の表示面４１４から離反する。
【００６２】
このように、印画紙Ｐがストック部４６から逆送されて焼付処理が行われるので、印画紙Ｐに不安定な負荷がかかることがないことから精度の高いピッチで印画紙Ｐを逆送することが可能となる。
【００６３】
さらに、焼付処理の終了した印画紙Ｐをカッタ部４７に送り出す（ステップＳ６）。このとき、従動ローラ４６５は駆動ローラ４６４側に移動すると共に、ガイドプレート４６２が鎖線位置に移動し、上流側から搬送されてくる印画紙Ｐは印画紙収納ボックス４６１に送り込まれることなくカッタ部４７側に搬送されることになる。
【００６４】
この状態で、焼付処理の終了した印画紙Ｐは、その先端がカッタ部４７の直前の印画紙センサＳ３に達する位置まで搬送ローラ４３９により搬送される。このとき同時に、搬送ローラ４３４によりマガジン３内の印画紙用リール３３から印画紙Ｐが引き出されて、ループ形成部４３５内の印画紙Ｐが略一定の長さに維持されるようになっている。
【００６５】
このようにして、印画紙Ｐの先端が印画紙センサＳ３に達すると、従動ローラ４６５が印画紙Ｐを介して駆動ローラ４６４に圧接されると共に、駆動ローラ４６４が回転駆動して印画紙センサＳ３の位置を基準に印画紙Ｐの焼付処理した長さ分がカッタ部４７側に搬送される。その後、印画紙Ｐのカット処理が行われる（ステップＳ７）。この状態を図５の模式図に示している。
【００６６】
この印画紙Ｐのカット処理の当初は、図６（ａ）に示すように、第１のカッタ４７１と第２のカッタ４７２は離間状態であり、ガイドプレート４７７は入口４７７ａが印画紙の受け入れ側に開いた搬送状態で位置しており、これらの間を、印画紙センサＳ３の位置を基準に印画紙Ｐの焼付処理した所定長さ分がカッタ部４７側に搬送される。焼付処理した印画紙Ｐの所定長さ分がカッタ部４７側に搬送されると、図６（ｂ）に示すように第１のカッタ４７１および第２のカッタ４７２によって印画紙Ｐがカットされる。
【００６７】
さらに、続けて焼付処理する必要があるか否か（リピート焼か否か）が判断される（ステップＳ８）。続いて焼付処理する必要があるとき（ステップＳ８でＹＥＳ）、印画紙の白縁部分のある焼付処理か否か（焼き付けた画像の周辺に白い縁が存在する焼付処理か否か）の指定された焼付種類が判断される（ステップＳ９）。白縁部分のない焼付処理のとき（画像の縁部分について微小寸法分だけ広い目に焼付処理された、いわゆるボーダレス焼付のとき）（ステップＳ９でＮＯ）、印画紙Ｐの先端部分のカットが行われる（ステップＳ１０）。つまり、図６（ｃ）に示すようにステップＳ７でカットした後の印画紙Ｐの先端部が所定寸法（例えば３ｍｍ程度）だけ駆動ローラ４６４によってカッタ部４７側に搬送されて、その先端部分が第１のカッタ４７１および第２のカッタ４７２によってカットされる。これにより、微小寸法分だけ広い目に焼付処理された画像の縁部分（次に焼付処理される印画紙Ｐの先端側の不要部分）が切り落される。このカット時に、図７（ａ）に示すように第１のカッタ４７１および第２のカッタ４７２の下流側に位置するガイドプレート４７７は第２の位置（鎖線の切屑ガイド位置）に移動して切屑Ａを切屑収納ボックス４７６内に案内する。このようにして、第１のカッタ４７１および第２のカッタ４７２で切り落されたプリント端の不要部分がカット時に飛び散ったとしても、搬送側の受入口４７７ａは閉じているので、搬送側に入り込んで紙詰まりを起こすようなことはなく、より確実に切屑収納ボックス４７６内に案内されて収納されることになる。その後、ガイドプレート４７７は元の第１の位置（実線の搬送ガイド位置）に移動することになる。
【００６８】
次に、続けて焼付処理する印画紙Ｐの長さが、画像表示部４１１の表示面４１４のセンタとカッタ部４７間の距離（例えば１５２ｍｍ）以下か否かが判断される（ステップＳ１１）。このとき、従動ローラ４６５が駆動ローラ４６４から離反し、また、従動ローラ４３８が駆動ローラ４３９側に移動して印画紙Ｐが駆動ローラ４３９と従動ローラ４３８で挟持される。このとき同時に、搬送ローラ４３６が回転してループ形成部４３５に印画紙Ｐのループが形成される。ループセンサＳ１がループを検出すると搬送ローラ４３６は停止することになる。
【００６９】
さらに、焼付処理する印画紙Ｐの長さが上記長さ以下のとき（ステップＳ１１でＹＥＳ）、搬送ローラ４３９により画像表示部４１１のセンタと印画紙Ｐの先端との長さが焼付処理に必要な長さになるまで逆送される。このとき、焼付処理に必要な印画紙Ｐの長さが画像表示部４１１の表示面４１４のセンタとカッタ部４７間の距離と同じである場合には逆送させる必要はない。その後、プレッシャーパッド４１６が画像表示部４１１の表示面４１４に圧接され、搬送ローラ４３９により印画紙Ｐが間欠的に逆送されて上記と同様に画像表示部４１１で焼付処理が行われる（ステップＳ１２）。その後、処理はステップＳ６に戻り、上記処理動作が繰り返される。この状態を図７（ｂ）の模式図に示している。
【００７０】
この場合、画像表示部４１１の表示面４１４のセンタとカッタ部４７との距離を焼付頻度の高い焼付サイズ（印画紙サイズ）に対応させて設定しておくと、その焼付サイズ以下の２コマ目以降の焼付処理時には印画紙Ｐの焼付処理に必要な長さ分をストック部４６にストックせずにカッタ部４７から直接、逆送することができ、処理スピードが早くなって焼付効率を高めることが可能となる。
【００７１】
また、焼付処理するのに必要な印画紙Ｐの長さが上記長さを超えるとき（ステップＳ１１でＮＯ）、印画紙Ｐの先端が搬送ローラ４６４の直近の上流側の位置に達するまで、プレッシャーパッド４１６が画像表示部４１１の表示面４１４から離反した状態で印画紙Ｐが搬送ローラ４３９により逆送される。搬送ローラ４３９により印画紙Ｐが焼付処理に必要な長さになるまでループ形成部４３５から送り出されて印画紙収納ボックス４６１内に収納される。
【００７２】
さらに、プレッシャーパッド４１６が画像表示部４１１の表示面４１４に圧接された状態で、印画紙収納ボックス４６１内の印画紙Ｐが搬送ローラ４３９により間欠的に逆送されて上記と同様に画像表示部４１１で焼付処理が行われる（ステップＳ１３）。その後、ステップＳ６に戻り、上記動作が繰り返される。なお、白縁部分のある焼付処理のとき（ステップＳ９でＹＥＳ）、上記ステップＳ１１以降の処理が実行される。
【００７３】
また、ステップＳ７のカット処理後、続けて焼付処理する必要がないとき（ステップＳ８でＮＯ）、さらに白縁のある焼付処理か否かが判断される（ステップＳ１４）。白縁のない焼付処理のとき（ステップＳ１４でＮＯ）、ステップＳ１０と同様の印画紙Ｐの先端部分のカットが行われる（ステップＳ１５）。また、白縁のある焼付処理のとき（ステップＳ１４でＹＥＳ）、印画紙Ｐがマガジン３内に巻き戻される（ステップＳ１６）。なお、焼付処理が終了した印画紙Ｐは、搬送部４８により現像処理部５に搬送されて現像処理部５で現像処理が行われることになる。その現像処理後の印画紙は印画紙排出部６のトレー６１に排出される。
【００７４】
また、印画紙Ｐの先端カット処理が指定されたとき（ステップＳ１でＹＥＳ）、ステップＳ２と同様にマガジン３から引き出された印画紙の搬送部４３へのローディングが行われ（ステップＳ１７）、続いてステップＳ３と同様にループ形成部４３５で印画紙Ｐのループが形成される（ステップＳ１８）。さらに、ステップＳ６と同様に印画紙Ｐがカッタ部４７に搬送され（ステップＳ１９）、先端部が一定長さだけ長手方向に対して直角にカットされる（ステップＳ２０）。その後、処理はステップ１１に移行し、上記と同様の焼付処理が行われる。
【００７５】
次に、ここで、選択キーにより第１の焼付処理部２が選択され、倍率設定キーにより倍率が設定されてスタートスイッチがオンされた場合には、フィルム画像露光部２１によりネガフィルムＦが１コマ毎に巻き取られ、焼付処理部２２上にフィルム画像が露光される。一方、マガジン載置部２４上のマガジン２３ａ（又は２３ｂ）内の印画紙用リール３３から印画紙Ｐが順に引き出され、カッタ部２６で所定長さに切断されて順に焼付処理部２２上に搬送される。
【００７６】
このとき、マガジン２３ａ内の印画紙用リール３３からの印画紙Ｐの引き出しはフィルム画像露光部２１のネガフィルムＦの巻き取りと同期して行われる。
【００７７】
さらに、焼付処理部２２で焼付処理された印画紙は搬送ベルト２２４により下流側に搬送され、横搬送ユニット、斜め搬送ユニット、縦搬送ユニットさらに排出ユニットにより現像処理部５側に搬送される。その現像処理後の印画紙は印画紙排出部６のトレー６１に排出される。
【００７８】
以上のように、ロール状の感光体材料としての印画紙にボーダレスプリントをし、その後、カッタで所定寸法にカットする際に、余分に露光がかかった隣接するプリント端部を切り落すように制御するため、隣接するプリント端部（露光部分の端部）が互いに重なり合って残り見苦しいというようなことはなく、印画紙Ｐがロール状に巻回された感光体材料用リール３３を用いて縁なし仕様のプリントに対応することができる。また、これに加えて、カッタ部４７で切り落されたプリント端の不要部分をガイドプレート４７７で案内して切屑収納ボックス４７６内に収納するようにしたため、カッタ部４７で切り落されたプリント端の不要部分がカット時に飛び散ったとしてもより確実に切屑収納ボックス４７６内に収納させることができる。さらに、プリント端の不要部分の切り落し時に、ガイドプレート４７７を切屑収納ボックス４７６内への切屑ガイド位置に位置させるようにガイド部材駆動制御部４７９で制御するため、搬送ガイドと案内ガイドを共用できて部品点数が減ると共に、案内ガイド時に搬送ガイド時の受入口４７７ａを閉じるようにすれば、カット時に切屑が飛び散って搬送系に入り込んで詰まる紙詰まり、プロセサー部でのトラブルを防止することができ、プリント時間やプリントロスを減少させることができる。また、ボーダレスプリント時にロール状で露光し、プロセサー部に入る前にシート状にカットすることでローラトランスポートでプロセサー部を通過することができる。
【００７９】
なお、上記実施形態では、第２の焼付処理部４を構成している画像転写部４１の画像表示部４１１がＦＯＣＲＴで構成されて密着焼付するようなっており、鮮明度の高い画像を得ることができるようになっているが、このＦＯＣＲＴの代わりにＰＬＺＴ素子を用いて画像表示部４１１を構成することもできる。このＰＬＺＴ素子を用いる場合には、駆動回路部４１２や画像データ出力部４１３はＰＬＺＴに対応したものを採用すればよい。この場合のＰＬＺＴ素子とは、チタン酸ジルコン酸鉛にランタンを添加することにより得られる透明強誘電性セラミックス材料から構成され、その材料の有する電気光学効果を利用したシャッタアレイをいう。
【００８０】
さらに、上記実施形態では、第２の焼付処理部４における印画紙の焼付処理時にループ形成部４３５からストック部４６側に搬送する印画紙Ｐの長さは、焼付処理に必要な長さ分としているが、それよりも少し長めに搬送するようにすることも可能である。また、上記実施形態における焼付現像処理装置の細部の構成および動作については種々の変形態様が可能であることは言うまでもないことである。
【００８１】
【発明の効果】
以上のように本発明の請求項１によれば、縁あり仕様のプリントの場合には、焼付処理された感光体材料をカッタ部材で所定長さにカットし、また、縁なし仕様のプリントの場合には、感光体材料を所定長さにカットし、さらに、余分に露光がかかった隣接するプリントの端部を切り落すように制御するため、隣接するプリント端部（露光部分の端部）が互いに重なり合って残るようなことは無くなり、見苦しくなく、感光体材料がロール状に巻回された感光体材料用リールを用いて密着焼付処理を順次した後にカットする縁なし（ボーダレス）仕様のプリントにも対応することができる。
【００８２】
また、感光体材料を所定長さにカットするときには、第２のガイド部材を搬送ガイド位置に位置させ、また、プリント端の不要部分を切り落すときには、第２のガイド部材を切屑ガイド位置に位置させるようにするため、搬送ガイドと案内ガイドを共用できて部品点数が減ると共に、カッタ部材で切り落されたプリント端の不要部分がカット時に飛び散ったとしても、より確実に切屑収納部材内に収納されることになり、カット時に切屑が飛び散って搬送系に入り込んで詰まることを防止することができる。
【図面の簡単な説明】
【図１】  本発明の一実施形態の焼付現像処理装置の外観構成を示す側面図である。
【図２】  図１の第１の焼付処理部の概略構成図である。
【図３】  図１の第２の焼付処理部の概略構成図である。
【図４】  図３のガイドプレートおよびガイド駆動部の構成図である。
【図５】  図３のリール部、焼付部およびカット部を模式的に示す拡大図である。
【図６】  図５のカット部の動作状態を模式的に示す図であって、（ａ）はカッタへの送り出し状態を示す図、（ｂ）はカット処理時の状態を示す図、（ｃ）は先端カット処理時のカット前の状態を示す図である。
【図７】  図５のカット部の動作状態を模式的に示す図であって、（ａ）は先端カット処理時のカット後の状態を示す図、（ｂ）は先端カット処理が繰り返されてカッタへの送り出し状態に戻ったことを示す図である。
【図８】  図１の第１の現像処理部の一部破断状態を示す概略構成図である。
【図９】  図１の焼付現像処理装置の動作を示すフローチャートである。
【図１０】  （ａ）は縁あり仕様（ウィズボーダ）のプリントの切断部分を示す図、（ｂ）は縁なし（ボーダレス）仕様のプリントの切断部分を示す図である。
【符号の説明】
１    操作盤
３，２３ａ，２３ｂ    印画紙用マガジン
４    第２の焼付処理部
３３    印画紙用リール
４７    カッタ部
４７１    第１のカッタ
４７２    第２のカッタ
４７３    カッタ駆動部
４７４    カッタ駆動制御部
４７５    カッタ駆動制御手段
４７６    切屑収納ボックス
４７７    ガイドプレート
４７７ａ    受入口
４７７ｂ    搬送ガイド部
４７７ｃ    平板部
４７７ｄ，４８４ａ，４８４ｃ    ピン部材
４７７ｅ，４８４ｂ    係合孔
４７８    ガイド駆動部
４７９    ガイド部材駆動制御部
４８０    ガイド部材駆動制御手段
４８４    操作連結部材
４８５    円盤部材
４８６    回転駆動軸
４８７    検知部材
【図１】
0003819115.tif 000002
【図２】
0003819115.tif 000003
【図３】
0003819115.tif 000004
【図４】
0003819115.tif 000005
【図５】
0003819115.tif 000006
【図６】
0003819115.tif 000007
【図７】
0003819115.tif 000008
【図８】
0003819115.tif 000009
【図９】
0003819115.tif 000010
【図１０】
0003819115.tif 000011